(57)【要約】【課題】コンテンツ情報を記録する記録データ領域の容量を減少することなく、臨場感の高い映像と音響を再現することができる情報記録媒体、及び情報再生装置を提供する。【解決手段】情報記録媒体において、ＥＣＣブロックＢｎ、Ｂｎ＋１毎に、それぞれ識別情報ＳＹ０からＳＹ６が付加された複数のフレームＳＹから構成される記録データと、記録データのうち隣接するＥＣＣブロックＢｎとＢｎ＋１との境界部に、識別情報ＳＹ０からＳＹ６と異なる識別情報ＳＹＸ、ＳＹＹが付加されたリンキング領域ＬＡとを有する。リンキング領域ＬＡは、情報記録媒体の外部接続装置を制御する外部制御情報を含む。再生時、この外部制御情報を用いて、外部制御手段１３により空調機器や照明機器等の外部接続装置が制御される。【選択図】        図５
2004326954.tif 000002
【特許請求の範囲】
【請求項１】
単位ブロック毎に、それぞれ識別情報が付加された複数のフレームから構成される記録データと、
前記記録データのうち隣接する前記単位ブロックの境界部に、前記識別情報と異なる識別情報が付加されたリンキング領域とを有する情報記録媒体であって、
前記リンキング領域は、前記情報記録媒体の外部接続装置を制御する外部制御情報を含むことを特徴とする情報記録媒体。
【請求項２】
前記外部制御情報は、前記単位ブロック中のフレームに記録されている記録データの時間経過、及び／又は記録データの内容変化に合わせて変化するものであることを特徴とする請求項１に記載の情報記録媒体。
【請求項３】
請求項１又は２に記載の情報記録媒体を再生する情報再生装置であって、
前記リンキング領域を検出するリンキング領域検出手段と、
前記リンキング領域検出手段で検出されたリンキング領域に含まれる前記外部制御情報を用いて前記外部接続装置を制御する外部制御手段とを有することを特徴とする情報再生装置。
【請求項４】
当該情報再生装置を識別するための固有識別情報を生成する固有識別情報生成手段を、更に有し、
前記外部制御手段は、前記外部制御情報と、前記固有識別情報生成手段で生成される固有識別情報とを用いて前記外部接続装置を制御することを特徴とする請求項３に記載の情報再生装置。
【発明の詳細な説明】
【０００１】
【発明の属する技術分野】
本発明は、リンキング領域に外部制御情報が記録される情報記録媒体、及び外部制御情報を用いて外部接続装置を制御する情報再生装置の技術分野に関するものである。
【０００２】
【従来の技術】
記録可能なＤＶＤディスクにおいては、記録済みのデータの最後のＥＣＣブロック（ｎ−１）と、追加されるデータの先頭のＥＣＣブロック（ｎ）の境界部に２シンクフレームで構成されるリンキング領域が挿入され、各シンクフレームにはＥＣＣブロック内の他のシンクコードと区別可能なシンクコードＳＹＸ、ＳＹＹが付加されており、これを再生時に検出してリンキング領域の位置を判別する情報記録再生装置が提案されている（例えば、特許文献１参照）。
【０００３】
【特許文献１】
特開２００２−２６０３４１号公報
【０００４】
【発明が解決しようとする課題】
映画等が記録されている再生専用ディスクを一般家庭で再生して視聴する場合、より臨場感を高めるために、視聴を始める前に照明を暗めに設定したり、空調システムの温度調節を行うことは、視聴者自らが行っている。また、映画のシーンそのものの環境に近づけた状態での視聴、例えば、映画のシーンに合わせて照明を明るくしたり、雪山のシーンでは冷房を強くして室温を下げたり、灼熱の砂漠のシーンでは暖房を強くして室温を上げることができるのであれば、更に臨場感は高められるが、現状では視聴者はその状況を作り出すことは困難である。
【０００５】
そこで、照明機器や空調システム等の外部装置を制御するための情報を、あらかじめ光ディスクに記録しておくことが考えられるが、光ディスク上のコンテンツ情報の記録してある記録データ領域に記録すると、本来のコンテンツ情報を記録する記録データ領域が削減されてしまうという問題がある。
【０００６】
本発明は、上記の問題に鑑み、コンテンツ情報を記録する記録データ領域の容量を減少することなく、臨場感の高い映像と音響を再現することができる情報記録媒体、及び情報再生装置を提供することを目的とする。
【０００７】
【課題を解決するための手段】
本発明は、単位ブロック毎に、それぞれ識別情報が付加された複数のフレームから構成される記録データと、前記記録データのうち隣接する前記単位ブロックの境界部に、前記識別情報と異なる識別情報が付加されたリンキング領域とを有する情報記録媒体であって、前記リンキング領域は、前記情報記録媒体の外部接続装置を制御する外部制御情報を含むことを特徴とする情報記録媒体である。
【０００８】
【発明の実施の形態】
以下、この発明をその実施の形態を示す図面に基づいて具体的に説明する。
実施の形態１．
図１は、光ディスク等の情報記録媒体においてユーザデータが記録されているデータゾーンを示す図である。記録データＡが記録されているｎ番目のＥＣＣブロックＢｎと、このＥＣＣブロックＢｎに隣接し、記録データＢが記録されているｎ＋１番目のＥＣＣブロックＢｎ＋１との境界部には、リンキング領域ＬＡが配置されている。ＥＣＣブロックＢｎ及びＥＣＣブロックＢｎ＋１は、記録データに対する誤り訂正の単位である単位ブロックを構成する。リンキング領域ＬＡは、１つ又は複数のＥＣＣブロックについての各種制御情報を記録するための領域であり、本発明では情報記録媒体の外部接続装置を制御する外部制御情報を含む。
【０００９】
図２は、ＥＣＣブロックＢｎ及びＥＣＣブロックＢｎ＋１とリンキング領域ＬＡとの位置関係を示した図である。ＥＣＣブロックＢｎ及びＥＣＣブロックＢｎ＋１はそれぞれ複数のシンクフレームＳＦから構成されている。即ち、１つのＥＣＣブロックＢｎ、Ｂｎ＋１は、アドレス可能な最小単位である複数のセクタに割り付けられるが、更にこのセクタの各々はそれぞれ複数のシンクフレームＳＦから構成される。データゾーンにおいて、セクタを構成しているシンクフレームＳＦの数は各セクタで同数であり、ＥＣＣブロックＢｎ及びＥＣＣブロックＢｎ＋１を構成しているシンクフレームＳＦの数も同数である。各シンクフレームＳＦは、その先頭にあるシンクコードＳＹ０〜ＳＹ６と、ビデオデータやオーディオデータ等のユーザデータが記録されているデータ部分ＤＰとからなる。シンクコードＳＹ０〜ＳＹ６は、互いに異なるビットパターンを有し、再生時にシンクフレームＳＦを判別するための識別情報として用いられる。特に、シンクコードＳＹ０は、他のシンクフレームとは区別されるように、各ＥＣＣブロックの先頭のシンクフレームＳＦにのみ付与されている。
【００１０】
リンキング領域ＬＡは、２個のシンクフレームＬＦ１、ＬＦ２から構成されている。この２個のシンクフレームＬＦ１、ＬＦ２の各々の先頭には、ＥＣＣブロックＢｎ及びＥＣＣブロックＢｎ＋１のシンクコードＳＹ０〜ＳＹ６とは異なる識別情報としてのシンクコードＳＹＸ、ＳＹＹが付与されている。これによって、リンキング領域ＬＡのシンクフレームＬＦ１、ＬＦ２と、ＥＣＣブロックＢｎ及びＥＣＣブロックＢｎ＋１のシンクフレームＳＦとは容易に識別することができる。
【００１１】
図１及び図２において、リンキング領域ＬＡに記録されている外部機器制御情報は、リンキング領域ＬＡを構成するシンクフレームＬＦ１、ＬＦ２のうちいずれか１つのデータ部分ＶＡ又はその一部に記録しておくことができ、残りの領域は他の制御情報の記録領域として確保することができる。外部機器制御情報をシンクフレームＬＦ１、ＬＦ２の両方のデータ部分ＶＡにわたって記録することも可能である。
【００１２】
図３は、リンキング領域ＬＡに記録される外部制御情報が時間経過とともに変化して記録されていることを示す図である。リンキング領域ＬＡは、情報記録媒体上に１ＥＣＣブロック毎に存在している。情報記録媒体に存在する全てのリンキング領域ＬＡに同一の情報を記録してもよいが、図３に示すように記録データが先頭から順に連続したデータの場合、時間経過とともに、記録データがＡ、Ａ＋１、Ａ＋２…と変化するのに応じて、リンキング領域ＬＡの外部制御情報をＡ、Ａ＋１、Ａ＋２…と変化させて記録してもよい。
【００１３】
また、図４は、再生順序に即して変化するように記録されていることを示す図である。ＤＶＤの場合、記録データの再生順序は、情報記録媒体の先頭から順ではなく、媒体中に離散的に配列されている場合がある。図４に示すように、再生順をＡ−Ｂ−Ｃ−Ｄとした場合、それぞれの記録データＡ、Ｂ、Ｃ、Ｄに対応する外部制御情報Ａ、Ｂ、Ｃ、Ｄは、内容変化に合わせた変化が記録し易いように、例えばそれぞれの記録データに隣接する位置のリンキング領域ＬＡに記録されてもよい。ここでは記録データの直前に配置するように示したが、直後の領域に配置してもよい。
【００１４】
図５は、実施の形態１の情報再生装置１の一例を示すブロック図である。図５に示す情報再生装置１において、情報記録媒体２に記録されている信号は、光ピックアップ３により読み出される。本発明において、情報記録媒体２としては、映画等が記録されている再生専用ディスクが挙げられる。
【００１５】
光ピックアップ３により信号が検出された後、再生信号生成手段４によって再生信号が生成され、次いで、再生信号をデジタル信号処理するために２値化スライス手段５により２値化した再生信号として出力される。２値化したスライス信号を基にして、シンク検出手段６は、シンクコードのビットパターンを検出することによりシンク検出し、シンクコードが生成される。このシンク検出手段６は、シンクコードが２値化したスライス信号を基にＰＬＬ（Ｐｈａｓｅ  Ｌｏｃｋｅｄ  Ｌｏｏｐ）７で生成される基準クロックを基準として動作を行う。一方、ＰＬＬ７は、シンク検出手段６で求められたシンクコードにより制御されるホールド信号生成手段８の出力信号により制御される。
【００１６】
シンク検出手段６により求められたシンクコードに基いて、データ読み取り手段９は、シンクフレーム毎の再生データを読みとって出力する。上記の再生信号生成手段４、２値化スライス手段５，シンク検出手段６、ＰＬＬ７、ホールド信号生成手段８、及びデータ読み取り手段９は、ＣＰＵ１０により統括的に制御される。また、ＣＰＵ１０は命令又は信号の書き込み、読み出しをＣＰＵ用メモリ１１に対して行う。
【００１７】
また、図５において、リンキング領域データ格納手段１２は、シンク検出手段６からリンキング領域ＬＡの情報であることの識別信号が入力され、データ読み取り手段９の出力からリンキング領域ＬＡのデータを選択し格納する。外部制御手段１３は、リンキング領域データ格納手段１２に格納されるリンキング領域ＬＡに含まれる外部制御情報を用いて、情報再生装置に接続された外部接続装置を制御する。
【００１８】
図６は、外部接続装置として空調機器１４を制御する場合の外部制御手段１３の内部構成を示す図である。外部制御手段１３は、外部接続装置である空調機器１４と直接接続されており、空調機器１４の電源のＯＮ／ＯＦＦを行う電源制御手段１５、温度設定を行う温度制御手段１６、風量や風向を制御する風量制御手段１７から構成される。上記のリンキング領域ＬＡに含まれる外部制御情報に応じて、空調機器１４のＯＮ／ＯＦＦを行ったり、温度設定や送風状態を制御することができる。
【００１９】
図７は、外部接続装置として照明機器１８を制御する場合の外部制御手段１３の内部構成を示す図である。この場合、外部制御手段１３は、照明機器１８の電源のＯＮ／ＯＦＦを行う電源制御手段１９、明るさを制御する照度制御手段２０から構成され、外部制御情報に応じて視聴している部屋の明るさを制御することができる。
【００２０】
なお、本実施の形態においては、１ＥＣＣブロック毎にリンキング領域ＬＡを設ける場合を示したが、全てのＥＣＣブロック毎にリンキング領域ＬＡを設ける必要はなく、ある特定の数のＥＣＣブロック毎、例えば８個のＥＣＣブロック毎にリンキング領域ＬＡを設けてもよい。データ管理上及びデータ処理上の観点から、２ｎ個（ｎは整数）のＥＣＣブロック毎にリンキング領域ＬＡを設けることが好ましい。
【００２１】
また、リンキング領域ＬＡが２シンクフレームＬＦ１、ＬＦ２から構成される場合を示したが、これに限定されず、上記と同様の理由から、２ｍ個（ｍは１以上の整数）のシンクフレームから構成するものとすることが好適であり、リンキング領域ＬＡを１つ又は複数のセクタに割り付けるように記録することも可能である。更に、１つのＥＣＣブロックとして記録してもよく、この場合、ＥＣＣブロックＢｎ及びＥＣＣブロックＢｎ＋１を構成するシンクフレームＳＦの数と、リンキング領域ＬＡを構成するシンクフレームの数とを、同数にしておけばよい。
【００２２】
また、１つのリンキング領域ＬＡに１つの外部制御情報を記録した場合を示したが、１つの外部制御情報を構成するデータ量が大きくなり１つのリンキング領域ＬＡでは入りきらない場合等、１つの外部制御情報を複数のリンキング領域ＬＡで構成するように記録してもよい。また、１つのリンキング領域ＬＡで外部制御情報を閉じてしまうと当該箇所が傷等が付いた場合に外部制御情報が失われてしまうため、このようなことを防止する点から、複数のリンキング領域ＬＡに外部制御情報を記録し、誤り訂正を行う等の保護を付加する場合も本発明に含まれる。
【００２３】
実施の形態２．
図８は実施の形態２の情報再生装置１００の一例を示すブロック図である。図８において、符号１〜１２に示すものは図５と同様のものである。固有識別情報生成手段２１は、情報再生装置を識別するための固有識別情報を生成する。外部制御手段２２は、リンキング領域データ格納手段１２に格納されているリンキング領域ＬＡに含まれている外部制御情報と、固有識別情報生成手段２１で生成される固有識別情報とを用いて、ネットワーク２３を介して外部接続装置を制御する。
【００２４】
図９は、外部制御手段２２の構成例の１つであり、ネットワーク２３を介して外部接続装置として複数の空調機器２９、３０が接続された場合の例を示したものである。この場合、情報再生装置は空調機器２９、３０をともに制御するようにすることも可能であるが、空調機器は通常１部屋に１台が設置されているため、制御するべき空調機器は情報再生装置を用いて視聴を行う部屋だけに限って行えばよい。図９において、外部制御手段２２は、外部接続装置である空調機器２９、３０との接続のための第１のインターフェース２８を有し、固有識別情報２４と、電源制御情報２５、温度制御情報２６、風量制御情報２７等の外部制御情報とを第１のインターフェース２８を介して送信する。
【００２５】
外部制御手段２２の第１のインターフェースから送信された固有識別情報２４と、電源制御情報２５、温度制御情報２６、風量制御情報２７等の外部制御情報とは、ネットワーク２３を介して、複数の空調機器２９、３０に入力される。空調機器２９は第２のインターフェース３１と固有情報選択手段３２とを備え、空調機器３０は第３のインターフェース３３と固有情報選択手段３４とを備える。固有情報選択手段３２、３４はそれぞれ、外部制御手段２２が送信する固有識別情報２４を受信し、選択した固有識別情報と一致するか否かを判定し、一致する場合は当該情報再生装置１００の送信する外部制御情報２４によって空調機器２９又は３０を制御させるようにし、一致しない場合は当該情報再生装置１００の送信する外部制御情報２４によっては空調機器２９又は３０を制御させない。例えば、空調機器２９の固有情報選択手段３２に対して予めこの情報再生装置１００に従うように設定し、空調機器３０の固有情報選択手段３４に対してはこの情報再生装置１００に従うようには設定されていない場合、空調機器２９は、第２のインターフェース手段３１を介して外部制御情報と固有識別情報２４とを受信し、固有情報選択手段３２において設定した情報と一致するため、この情報再生装置１００から外部制御情報に従い制御を行う。一方、空調機器３０は、第３のインターフェース手段３３を介して外部制御情報と固有識別情報２４とを受信するが、予め固有情報選択手段３４に設定した情報とは異なるため、当該情報再生装置１００からの外部制御情報には従わない。
【００２６】
図１０は外部制御手段２２の構成の別の例であり、ネットワーク２３を介して外部接続装置として複数の照明機器３８、３９が接続された場合の例を示したものである。図１０に示す場合も、図９の場合と同様に、固有識別情報２４と、電源制御情報３５、照度制御情報３６等の外部制御情報が外部制御手段２２の第１のインターフェース３７から送信され、ネットワーク２３を介して、照明機器３８、３９の第２、第３のインターフェース４０、４２から受信し、固有情報選択手段４１、４３により固有識別情報２４の判定が行われることにより、特定の外部接続装置である照明機器３８又は３９の制御が可能になる。
【００２７】
実施の形態３
上記実施の形態１、２では、外部接続装置として空調機器又は照明機器である場合を示したが、情報記録媒体２の外部に接続されている装置であれば表示装置、音声出力装置、再生装置、記録装置等であってもよい。
例えば、外部接続装置が表示装置である場合、リンキング領域ＬＡには、外部制御情報として、時間経過及び／又は内容変化に合わせて表示装置で表示される輝度や色調を制御する情報を記録しておくことができる。
【００２８】
また、外部接続装置が音声出力装置である場合、リンキング領域ＬＡには、外部制御情報として、時間経過及び／又は内容変化に合わせて音量や音質を制御する情報を記録しておくことができる。
更には、映画モード、音楽モード、ゲームモード等の表示モードを記録しておくことも可能である。この場合、この表示モードによって変化するような輝度や色調、音量や音質を制御する情報を更に記録することも可能である。
その他、外部接続装置が再生装置である場合、リンキング領域ＬＡに、外部制御情報として、時間経過及び／又は内容変化に合わせて課金するような課金情報を記録しておくことも可能である。
【発明の効果】
【００２９】
以上説明したように、本発明によれば、コンテンツ情報を記録する記録データ領域の容量を減少することなく、外部接続装置の制御が可能になる。これにより、臨場感の高い映像と音響等を再現することができる。
【図面の簡単な説明】
【図１】情報記録媒体においてユーザデータが記録されているデータゾーンを示す図である。
【図２】ＥＣＣブロックとリンキング領域との位置関係を示した図である。
【図３】リンキング領域に記録される外部制御情報が時間経過とともに変化して記録されていることを示す図である。
【図４】リンキング領域に記録される外部制御情報が再生順序に即して変化するように記録されていることを示す図である。
【図５】実施の形態１の情報再生装置の一例を示すブロック図である。
【図６】外部接続装置として空調機器を制御する場合の外部制御手段の内部構成を示す図である。
【図７】外部接続装置として照明機器を制御する場合の外部制御手段の内部構成を示す図である。
【図８】実施の形態２の情報再生装置の一例を示すブロック図である。
【図９】外部制御装置がネットワークを介して接続された複数の空調機器である場合の外部制御手段の構成例である。
【図１０】外部制御装置がネットワークを介して接続された複数の照明機器である場合の外部制御手段の構成例である。
【符号の説明】
１、１００  情報再生装置、２  情報記録媒体、３  光ピックアップ、４  再生信号生成手段、５  ２値化スライス手段、６  シンク検出手段、７  ＰＬＬ、８  ホールド信号生成手段、９  データ読み取り手段、１０  ＣＰＵ、１１  メモリ、１２  リンキング領域データ格納手段、１３、２２  外部制御手段、１４、２９、３０  空調機器、１８、３８、３９  照明機器、２１  固有識別情報生成手段、２３  ネットワーク。
【図１】
2004326954.tif 000003
【図２】
2004326954.tif 000004
【図３】
2004326954.tif 000005
【図４】
2004326954.tif 000006
【図５】
2004326954.tif 000007
【図６】
2004326954.tif 000008
【図７】
2004326954.tif 000009
【図８】
2004326954.tif 000010
【図９】
2004326954.tif 000011
【図１０】
2004326954.tif 000012